(57)【要約】【課題】  もっぱらアナログ放送を視聴するユーザにとっての操作性を高くする。【解決手段】  受信装置２０は、ＮＩＭ２２と、アナログ放送用の形式のチャンネル番号およびデジタル放送用の形式のチャンネル番号を受付ける入力部３６と、ＮＩＭ２２がデジタル放送の放送信号を抽出したか否かを判断し、チャンネル番号に対応する放送の放送信号を抽出するように、ＮＩＭ２２が放送信号を抽出する電波の周波数を設定し、ＮＩＭ２２がデジタル放送の放送信号を抽出したと自ら判断した時まで、デジタル放送用の形式とは異なる形式のチャンネル番号を受付けるように、入力部３６を制御するＣＰＵ３０と、ＮＩＭ２２が抽出した放送信号を出力するＭＰＥＧデコーダ２４とを含む。【選択図】        図１
2006253771.tif 000002
【特許請求の範囲】
【請求項１】
チューナと、
前記チューナがデジタル放送の放送信号を抽出したか否かを判断するための判断手段と、
アナログ放送用の形式のチャンネル番号およびデジタル放送用の形式のチャンネル番号を受付けるための受付手段と、
チャンネル番号に対応する放送の放送信号を抽出するように、前記チューナが放送信号を抽出する電波の周波数を設定するための設定手段と、
前記設定手段が設定する複数の周波数の値が確定した時から前記チューナがデジタル放送の放送信号を抽出したと前記判断手段が判断した時まで、前記デジタル放送用の形式とは異なる形式のチャンネル番号を受付けるように、前記受付手段を制御するための制御手段と、
前記チューナが抽出した放送信号を出力するための出力手段とを含む、受信装置。
【請求項２】
チューナと、
前記チューナがデジタル放送の放送信号を抽出したか否かを判断するための判断手段と、
アナログ放送用の形式のチャンネル番号およびデジタル放送用の形式のチャンネル番号を受付けるための受付手段と、
チャンネル番号に対応する放送の放送信号を抽出するように、前記チューナが放送信号を抽出する電波の周波数を設定するための設定手段と、
前記チューナがデジタル放送の放送信号を抽出したと前記判断手段が判断した時まで、前記デジタル放送用の形式とは異なる形式のチャンネル番号を受付けるように、前記受付手段を制御するための制御手段と、
前記チューナが抽出した放送信号を出力するための出力手段とを含む、受信装置。
【請求項３】
前記制御手段は、前記設定手段が設定する周波数の値が確定した時から前記チューナがデジタル放送の放送信号を抽出したと前記判断手段が判断した時まで、前記デジタル放送用の形式とは異なる形式のチャンネル番号を受付けるように、前記受付手段を制御するための手段を含む、請求項２に記載の受信装置。
【請求項４】
前記設定手段が設定する周波数の値が確定した時は、複数の周波数の値が確定した時を含む、請求項３に記載の受信装置。
【請求項５】
チューナと、
前記チューナがデジタル放送の放送信号を抽出したか否かを判断するための判断手段と、
アナログ放送用の形式のチャンネル番号およびデジタル放送用の形式のチャンネル番号を受付けるための受付手段と、
チャンネル番号に対応する放送の放送信号を抽出するように、前記チューナが放送信号を抽出する電波の周波数を設定するための設定手段と、
前記チューナがデジタル放送の放送信号を抽出したと前記判断手段が判断した時まで、デジタル放送用の形式とは異なる形式のチャンネル番号を受付けるように、前記受付手段を制御するための制御手段と、
前記チューナが抽出した放送信号を、映像信号に変換するための変換手段と、
前記変換手段が変換した映像信号を用いて、映像を表示するための表示手段とを含む、受像装置。
【発明の詳細な説明】
【技術分野】
【０００１】
本発明は、受信装置および受像装置に関し、特に、複数の方式の信号を受信できる受信装置および受像装置に関する。
【背景技術】
【０００２】
特許文献１は、テンキーにより、メイン／サブチャンネル変更の指示を与えるとき、「−」キーが入力されると、現在受信中のメインチャンネルを確定し、表示装置にサブチャンネルの入力待ち状態を示すＯＳＤ（On Screen Display）表示を行うチャンネル選択装置を開示する。
【０００３】
この発明によると、チャンネルの階層構造が直感的に理解でき、さらにメインチャンネルの入力ステップが簡略化されるので、操作性を良くできる。
【０００４】
特許文献２は、デジタルテレビ放送用チューナと、地上波テレビ放送用チューナと、両チューナの出力のうちのいずれかを選択するための切り換え装置とを備えたテレビ放送受信機において、チャンネル番号を入力するテンキー、ならびにテンキーによって入力されたチャネル番号に基づいて、上記切り換え装置を制御するシステムコントローラを備えていることを特徴とするテレビ放送受信機を開示する。
【０００５】
この発明によると、デジタルテレビ放送の番組と地上波テレビ放送の番組との間で、番組を切り換える場合に、モード切り換えキーの操作を不要とすることができる。
【０００６】
特許文献３は、ユーザにより選局されたチャンネルの番号と選局された回数を記憶する視聴履歴記憶装置、ユーザの嗜好する番組を登録するお好み番号登録部、ユーザの嗜好するジャンルを登録するお好みジャンル登録部、有料番組の契約状態を判別する契約情報判別部、チャンネル番号入力欄の入力桁までの番号に一致する視聴可能な番組の中からユーザの嗜好する番組を検索する視聴履歴解析部、チャンネル番号入力欄の未入力桁に補完入力させる制御部および視聴履歴解析部によって抽出された各チャンネル番組を一覧表示させる表示装置を備えるテレビジョン受像機を開示する。
【０００７】
この発明によると、チャンネル番号の入力により選局を行う場合において、ユーザの嗜好に合った番組のチャンネル番号を補完入力することにより、操作機能を向上させることができる。
【特許文献１】特開２００２−２３２７９６号公報
【特許文献２】特開平１１−１６４２１４号公報
【特許文献３】特開２００３−１５３１０２号公報
【発明の開示】
【発明が解決しようとする課題】
【０００８】
しかし、前述の特許文献１および特許文献２に開示された発明では、専らアナログ放送を視聴するユーザとっては、かえって操作が煩雑になり得るという問題点がある。デジタル放送用の操作が不要であるにも関わらずデジタル放送用の操作が可能なので、操作を誤った場合（たとえば「２−１」などといったデジタル放送用のチャンネル番号を入力した場合）、その誤りを訂正するために、デジタル放送用の操作とアナログ放送用の操作とを強いることとなる可能性があるためである。
【０００９】
特許文献３に開示された発明では、専らアナログ放送を視聴するユーザの操作性について、特別な考慮がなされていないという問題点がある。
【００１０】
本発明は上述の問題点を解決するためになされたものであって、その目的は、専らアナログ放送を視聴するユーザにとっての操作性を高くする受信装置および受像装置を提供することにある。
【課題を解決するための手段】
【００１１】
上記目的を達成するために、本発明のある局面にしたがうと、受信装置は、チューナと、チューナがデジタル放送の放送信号を抽出したか否かを判断するための判断手段と、アナログ放送用の形式のチャンネル番号およびデジタル放送用の形式のチャンネル番号を受付けるための受付手段と、チャンネル番号に対応する放送の放送信号を抽出するように、チューナが放送信号を抽出する電波の周波数を設定するための設定手段と、設定手段が設定する複数の周波数の値が確定した時からチューナがデジタル放送の放送信号を抽出したと判断手段が判断した時まで、デジタル放送用の形式とは異なる形式のチャンネル番号を受付けるように、受付手段を制御するための制御手段と、チューナが抽出した放送信号を出力するための出力手段とを含む。
【００１２】
すなわち、受付手段は、アナログ放送用の形式のチャンネル番号およびデジタル放送用の形式のチャンネル番号を受付ける。判断手段は、チューナがデジタル放送の放送信号を抽出したか否かを判断する。制御手段は、設定手段が設定する複数の周波数の値が確定した時からチューナがデジタル放送の放送信号を抽出したと判断手段が判断した時まで、デジタル放送用の形式とは異なる形式のチャンネル番号を受付けるように、受付手段を制御する。設定手段は、チャンネル番号に対応する放送の放送信号を抽出するように、チューナが放送信号を抽出する電波の周波数を設定する。これにより、専らアナログ放送を視聴するユーザが、デジタル放送用の形式のチャンネルを入力するための操作をする必要はなくなる。いったんデジタル放送の放送信号を受信しても、設定手段が設定する周波数の値が確定するたびに、受付手段は、デジタル放送用の形式とは異なる形式のチャンネル番号を受付けることができる。いったんデジタル放送用のチャンネル番号を受付けることとなった後、再びデジタル放送用のチャンネル番号とは異なるチャンネル番号を受付けることとする必要があるときとは、設定手段が設定する周波数のうち、複数の周波数が確定した後であることが多い。その結果、専らアナログ放送を視聴するユーザにとっての操作性および利便性を特に高くする受信装置を提供することができる。
【００１３】
本発明の他の局面にしたがうと、受信装置は、チューナと、チューナがデジタル放送の放送信号を抽出したか否かを判断するための判断手段と、アナログ放送用の形式のチャンネル番号およびデジタル放送用の形式のチャンネル番号を受付けるための受付手段と、チャンネル番号に対応する放送の放送信号を抽出するように、チューナが放送信号を抽出する電波の周波数を設定するための設定手段と、チューナがデジタル放送の放送信号を抽出したと判断手段が判断した時まで、デジタル放送用の形式とは異なる形式のチャンネル番号を受付けるように、受付手段を制御するための制御手段と、チューナが抽出した放送信号を出力するための出力手段とを含む。
【００１４】
すなわち、受付手段は、アナログ放送用の形式のチャンネル番号およびデジタル放送用の形式のチャンネル番号を受付ける。判断手段は、チューナがデジタル放送の放送信号を抽出したか否かを判断する。制御手段は、チューナがデジタル放送の放送信号を抽出したと判断手段が判断した時まで、デジタル放送用の形式とは異なる形式のチャンネル番号を受付けるように、受付手段を制御する。設定手段は、チャンネル番号に対応する放送の放送信号を抽出するように、チューナが放送信号を抽出する電波の周波数を設定する。これにより、専らアナログ放送を視聴するユーザが、デジタル放送用の形式のチャンネルを入力するための操作をする必要はなくなる。その結果、専らアナログ放送を視聴するユーザにとっての操作性を高くする受信装置を提供することができる。
【００１５】
また、上述の制御手段は、設定手段が設定する周波数の値が確定した時からチューナがデジタル放送の放送信号を抽出したと判断手段が判断した時まで、デジタル放送用の形式とは異なる形式のチャンネル番号を受付けるように、受付手段を制御するための手段を含むことが望ましい。
【００１６】
すなわち、制御手段がデジタル放送用の形式とは異なる形式のチャンネル番号を受付けるように受付手段を制御するのは、設定手段が設定する周波数の値が確定した時からチューナがデジタル放送の放送信号を抽出したと判断手段が判断した時までである。これにより、いったんデジタル放送の放送信号を受信しても、設定手段が設定する周波数の値が確定するたびに、受付手段は、デジタル放送用の形式とは異なる形式のチャンネル番号を受付けることができる。その結果、専らアナログ放送を視聴するユーザにとっての操作性および利便性を高くする受信装置を提供することができる。
【００１７】
また、上述の設定手段が設定する周波数の値が確定した時は、複数の周波数の値が確定した時を含むことが望ましい。
【００１８】
すなわち、制御手段がデジタル放送用の形式とは異なる形式のチャンネル番号を受付けるように受付手段を制御するのは、設定手段が設定する複数の周波数の値が確定した時からチューナがデジタル放送の放送信号を抽出したと判断手段が判断した時までである。いったんデジタル放送用のチャンネル番号を受付けることとなった後、再びデジタル放送用のチャンネル番号とは異なるチャンネル番号を受付けることとする必要があるときとは、設定手段が設定する周波数のうち、複数の周波数が確定した後であることが多い。これにより、ユーザにとっての利便性をさらに向上させることができる。その結果、専らアナログ放送を視聴するユーザにとっての操作性および利便性をより高くする受信装置を提供することができる。
【００１９】
本発明の他の局面にしたがうと、受像装置は、チューナと、チューナがデジタル放送の放送信号を抽出したか否かを判断するための判断手段と、アナログ放送用の形式のチャンネル番号およびデジタル放送用の形式のチャンネル番号を受付けるための受付手段と、チャンネル番号に対応する放送の放送信号を抽出するように、チューナが放送信号を抽出する電波の周波数を設定するための設定手段と、チューナがデジタル放送の放送信号を抽出したと判断手段が判断した時まで、デジタル放送用の形式とは異なる形式のチャンネル番号を受付けるように、受付手段を制御するための制御手段と、チューナが抽出した放送信号を、映像信号に変換するための変換手段と、変換手段が変換した映像信号を用いて、映像を表示するための表示手段とを含む。
【００２０】
すなわち、受付手段は、アナログ放送用の形式のチャンネル番号およびデジタル放送用の形式のチャンネル番号を受付ける。判断手段は、チューナがデジタル放送の放送信号を抽出したか否かを判断する。制御手段は、チューナがデジタル放送の放送信号を抽出したと判断手段が判断した時まで、デジタル放送用の形式とは異なる形式のチャンネル番号を受付けるように、受付手段を制御する。設定手段は、チャンネル番号に対応する放送の放送信号を抽出するように、チューナが放送信号を抽出する電波の周波数を設定する。これにより、専らアナログ放送を視聴するユーザが、デジタル放送用の形式のチャンネルを入力するための操作をする必要はなくなる。その結果、専らアナログ放送を視聴するユーザにとっての操作性を高くする受像装置を提供することができる。
【発明の効果】
【００２１】
本発明に係る受信装置および受像装置は、専らアナログ放送を視聴するユーザにとっての操作性を高くできる。
【発明を実施するための最良の形態】
【００２２】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２３】
図１は、この発明の実施の形態に係る受信装置２０の構成図である。受信装置２０は図示のない入力端子から高周波信号であるＲＦ（Radio Frequency）信号５０を入力して、処理し、外部に接続されたＴＶ（Television）受像機４０に対して、受信した放送を、ＴＶ受像機４０を介して視聴可能とするためのビデオ信号６０を出力する（この場合、ＴＶ受像機４０は、後述するＭＰＥＧ（Motion Picture Experts Group）デコーダ２４が変換した映像信号を用いて、映像を表示する装置として動作する）。ここでは受信装置２０はＴＶ受像機４０とは別個に設けられたＳＴＢ（Set Top Box）として示されるが、受信装置２０はＴＶ受像機４０に内蔵されて受信装置２０が搭載された受像装置が提供されてもよい。また、アナログＴＶ放送信号はＮＴＳＣ方式に従うＮＴＳＣ信号としているが、この方式に限定されない。
【００２４】
図１を参照して受信装置２０は、ＤＴＶ（Digital Television）放送のため処理部、ＮＴＳＣ（National Television Standards Committee）信号のアナログＴＶ放送のための処理部、受信装置２０の各部を制御するためのＣＰＵ（Central Processing Unit）３０、接続判定データＤおよびテーブル３２２〜テーブル３２８を含むデータを格納するＥＥＰＲＯＭ（Electrically Erasable and Programmable Read Only Memory）３２、信号獲得判定回路３４、および入力部３６を備える。
【００２５】
ＤＴＶ放送のため処理部は、ＲＦ信号５０を入力して処理し、コンピュータで処理可能なＴＳ（Transport Stream）データを出力することによりデジタル電波から放送信号を抽出するＮＩＭ（Network Interface Module）２２と、ＴＳデータを入力してＭＰＥＧ方式に従いデコードして（すなわち、ＮＩＭ２２が抽出した放送信号を映像信号に変換して）、ビデオ信号６０を出力するＭＰＥＧデコーダ２４とを有する。アナログＴＶ放送のための処理部は、ＲＦ信号５０を入力してチューニング動作（本実施の形態の場合、一定の周期の信号を検出できるか否かを判断する動作）することによりアナログ電波から放送信号を抽出するアナログ方式チューナ２６とアナログ方式チューナ２６のチューニング動作により抽出された放送信号についてＮＴＳＣ方式に従いデコードしてビデオ信号６０を出力するＮＴＳＣデコーダ２８とを有する。ＭＰＥＧデコーダ２４とＮＴＳＣデコーダ２８とは、チューナであるＮＩＭ２２およびアナログ方式チューナ２６が抽出した放送信号を出力する装置である。
【００２６】
受信装置２０にはＲＦ信号５０として地上波放送によるＲＦ信号およびＣＡＴＶ放送によるＲＦ信号のいずれかが入力され得る。
【００２７】
ＥＥＰＲＯＭ３２の接続判定データＤは、ＲＦ信号５０として地上波放送によるものが与えられているのか、またはＣＡＴＶ（Cable Television）放送によるものが与えられているのかを示す。すなわち、受信装置２０に地上波放送を受信するための機器（アンテナ）が接続されているのか、ＣＡＴＶ放送を受信するための機器（ケーブル）が接続されているのかを示す。
【００２８】
テーブル３２２〜テーブル３２８それぞれは、たとえばＡＴＳＣ（Advanced Television Systems Committee）に従うデジタル地上波放送用、デジタルＣＡＴＶ放送用、アナログ地上波放送用およびアナログＣＡＴＶ放送用のそれぞれに対応して設けられている。テーブル３２２〜テーブル３２８は図２に示すような同様の構成を有するので、ここではテーブル３２２について説明する。
【００２９】
テーブル３２２は対応のＴＶ放送信号を送信する放送局ごとに、言換えると複数の異なる放送チャネルを示すチャネル番号と、チャネル番号（北米などでは、ケーブルテレビなどのアナログ放送に対しては「２」、「４」・・・といった単一の番号からなるチャンネル番号を設定することが多い。デジタル放送に対しては、「２−１」、「２−２」・・・といったメイン番号とサブ番号とを含む複数の番号からなるチャンネル番号を設定することが多い。）のそれぞれに対応して同調（チューニング）情報と同調可否データとを含む。同調情報はＣＰＵ３０により読取られてＮＩＭ２２またはアナログ方式チューナ２６に与えられるので、ＮＩＭ２２またはアナログ方式チューナ２６は、与えられる同調情報に基づいてチューニング動作してチューニングに成功したか否か、すなわち入力するＲＦ信号５０から、与えられた同調情報で示される周波数帯域（該同調情報に対応のチャネル）の放送信号を抽出できたか否かの同調の可否を示す同調可否データをＣＰＵ３０に対して出力する。テーブル３２２とテーブル３２４から読出される同調情報はＮＩＭ２２に与えられて、テーブル３２６とテーブル３２８から読出される同調情報はアナログ方式チューナ２６に与えられる。
【００３０】
図１の信号獲得判定回路３４は、受信装置２０に入力したＲＦ信号５０において８ＶＳＢ（Vestigial Sideband Modulation）方式の変調に特有の波形スペクトルが検出されたときは、８ＶＳＢ信号が獲得できたことを示す獲得結果信号を出力し、ＱＡＭ（Quadrature Amplitude Modulation）方式の変調に特有の波形スペクトルを検出したときはＱＡＭ信号が獲得できたことを示す獲得結果情報を出力し、ＮＴＳＣ信号に独自の波形スペクトルを検出したときはＮＴＳＣ信号が獲得できたことを示す獲得結果情報を出力する。これらの各波形スペクトルを検出できないときは信号を獲得できないことを示す獲得結果情報が出力される。出力された獲得結果情報はＣＰＵ３０に与えられる。
【００３１】
入力部３６は、ユーザから、キー入力によって情報を受付ける。受付けられる情報には、アナログ放送用の形式のチャンネル番号およびデジタル放送用の形式のチャンネル番号が含まれる。受付けられた情報は、ＣＰＵ３０に与えられる。
【００３２】
本実施の形態に係る受信装置２０では、受信可能な放送局の放送信号について（受信）チャネルを個別的に自動割当するオートスキャンを実施することができる。受信装置２０は、デジタル地上波放送、デジタルＣＡＴＶ放送、アナログ地上波放送およびデジタルＣＡＴＶ放送のいずれにも受信可能なので、オートスキャンに先立って、受信装置２０が地上波放送およびＣＡＴＶ放送のうちいずれの放送信号を受信可能な態様でアンテナまたはケーブルと接続されているかを判別して、判別した接続態様に従いオートスキャンを実施する必要がある。
【００３３】
図３を参照して、受信装置２０で実行されるプログラムは、チャンネル番号の設定に関し、以下のような制御構造を有する。
【００３４】
ステップ１００（以下、ステップをＳと略す。）にて、ＣＰＵ３０はＥＥＰＲＯＭ３２から、テーブル３２２〜テーブル３２８の同調情報を読出す。同調情報が読出されると、ＣＰＵ３０は、読出された同調情報を、ＮＩＭ２２およびアナログ方式チューナ２６に与える。これにより、ＣＰＵ３０は、所定の周波数の放送を受信するように（厳密にはチャンネル番号に対応する放送の放送信号を抽出するように）、チューナであるＮＩＭ２２およびアナログ方式チューナ２６が放送信号を抽出する電波の周波数を設定することとなる。
【００３５】
Ｓ１０２にて、ＮＩＭ２２およびアナログ方式チューナ２６はそれぞれＲＦ信号５０から放送信号を抽出する。ＮＩＭ２２およびアナログ方式チューナ２６は、それぞれ同調可否データをＣＰＵ３０に出力する。
【００３６】
Ｓ１０４にて、ＣＰＵ３０は、ＮＩＭ２２がチューニングに成功した旨の同調可否データを出力したか否かに基づき、受信したＲＦ信号５０がデジタル放送の信号か否かを判断する。デジタル放送の信号と判断した場合（Ｓ１０４にてＹＥＳ）、処理はＳ１０６へと移される。もしそうでないと（Ｓ１０４にてＮＯ）、処理はＳ１０８へと移される。
【００３７】
Ｓ１０６にて、ＣＰＵ３０は、ＥＥＰＲＯＭ３２が格納する接続判定データＤの値を「１」に設定する。本実施の形態の場合、接続判定データＤが「１」ならば、受信装置２０がデジタル放送を受信中であること（デジタル放送モード）を表わす。接続判定データＤが「０」であることは、受信装置２０がアナログ放送を受信中であること（アナログ放送モード）であることを表わす。
【００３８】
Ｓ１０８にて、ＣＰＵ３０は、アナログ方式チューナ２６が出力した同調可否データを参照することにより、アナログ方式チューナ２６が受信に成功したか否かを判断する。受信に成功したと判断した場合（Ｓ１０８にてＹＥＳ）、処理はＳ１１０へと移される。もしそうでないと（Ｓ１０８にてＮＯ）、処理はＳ１１２へと移される。Ｓ１１０にて、入力部３６は、チャンネル番号のうち、メイン番号の設定を受付ける。この処理は、後述するＳ１２０〜Ｓ１５４の処理に相当する。
【００３９】
Ｓ１１２にて、ＣＰＵ３０は、ＥＥＰＲＯＭ３２が記憶したチャンネル番号すべてについて、周波数の設定が終了したか否かを判断する。周波数の設定が終了したと判断した場合（Ｓ１１２にてＹＥＳ）、処理は終了する。もしそうでないと（Ｓ１１２にてＮＯ）、処理はＳ１００へと移される。
【００４０】
図４〜図６を参照して、受信装置２０で実行されるプログラムは、メイン番号の設定処理に関し、以下のような制御構造を有する。
【００４１】
Ｓ１２０にて、入力部３６は、ユーザからのキー入力を受付ける。キー入力によって受付けられた情報は、ＣＰＵ３０に与えられる。
【００４２】
Ｓ１２２にて、ＣＰＵ３０は、キー入力があったのが「０」キーか否かを判断する。「０」キーと判断した場合（Ｓ１２２にてＹＥＳ）、処理はＳ１２４へと移される。もしそうでないと（Ｓ１２２にてＮＯ）、処理はＳ１４６へと移される。Ｓ１２４にて、ＣＰＵ３０は、ＴＶ受像機４０に「０」を表示させる。Ｓ１２６にて、入力部３６は、４秒間キー入力を受付ける。
【００４３】
Ｓ１２８にて、ＣＰＵ３０は、キー入力があったキーが「１」キー〜「９」キーか否かを判断する。「１」キー〜「９」キーと判断した場合（Ｓ１２８にてＹＥＳ）、処理はＳ１３０へと移される。もしそうでないと（Ｓ１２８にてＮＯ）、処理はＳ１４４へと移される。
【００４４】
Ｓ１３０にて、ＣＰＵ３０は、キー入力があったキーが表わす番号（チャンネル番号）を表示させる。Ｓ１３２にて、入力部３６は、４秒間キー入力を受付ける。
【００４５】
Ｓ１３４にて、ＣＰＵ３０は、キー入力があったキーが「０」キー〜「９」キーか否かを判断する。「０」キー〜「９」キーと判断した場合には（Ｓ１３４にてＹＥＳ）、処理はＳ１３６へと移される。もしそうでないと（Ｓ１３４にてＮＯ）、処理はＳ１３８へと移される。
【００４６】
Ｓ１３６にて、ＣＰＵ３０は、Ｓ１２０〜Ｓ１３２のステップにおいて受付けたチャンネル番号がレンジ（本実施の形態の場合、「レンジ」はチャンネル番号として予め定められた範囲のことを指す）内か否かを判断する。レンジ内と判断した場合（Ｓ１３６にてＹＥＳ）、処理はＳ１３２へと移される。もしそうでないと（Ｓ１３６にてＮＯ）、処理はＳ１２０へと移される。
【００４７】
Ｓ１３８にて、ＣＰＵ３０は、キー入力があったキーが「−」キーか否かを判断する。「−」キーと判断した場合（Ｓ１３８にてＹＥＳ）、処理はＳ１４０へと移される。もしそうでないと（Ｓ１３８にてＮＯ）、処理はＳ１４２へと移される。Ｓ１４０にて、入力部３６およびＣＰＵ３０はサブ番号の設定を受付ける。この処理は、後述するＳ１６０〜Ｓ１８８の処理に相当する。
【００４８】
Ｓ１４２にて、ＣＰＵ３０は、入力部３６にキー入力がなかったかもしくはキー入力があったのが確定キーか否かを判断する。キー入力がなかったかもしくはキー入力があったのが確定キーであった場合には（Ｓ１４２にてＹＥＳ）、処理は終了する。もしそうでないと（Ｓ１４２にてＮＯ）、処理はＳ１４４へと移される。
【００４９】
Ｓ１４４にて、ＣＰＵ３０は、オートスキャンを強制的に終了するための処理を実施する。Ｓ１４６にて、ＣＰＵ３０は、ＴＶ受像機４０に入力されたチャンネル番号を表示させる。Ｓ１４８にて、入力部３６は、４秒間キー入力を受付ける。
【００５０】
Ｓ１５０にて、ＣＰＵ３０は、キー入力があったキーが「１」キー〜「９」キーか否かを判断する。「１」キー〜「９」キーと判断したばあいには（Ｓ１５０にてＹＥＳ）、処理はＳ１３０へと移される。もしそうでないと（Ｓ１５０にてＮＯ）、処理はＳ１５２へと移される。
【００５１】
Ｓ１５２にて、ＣＰＵ３０は、キー入力があったのが「−」キーか否かを判断する。「−」キーと判断した場合には（Ｓ１５２にてＹＥＳ）、処理はＳ１４０へと移される。もしそうでないと（Ｓ１５２にてＮＯ）、処理はＳ１５４へと移される。
【００５２】
Ｓ１５４にて、ＣＰＵ３０は、キー入力がなかったかもしくはキー入力があったのが確定キーか否かを判断する。キー入力がなかったかもしくはキー入力があったのが確定キーと判断した場合には（Ｓ１５４にてＹＥＳ）、処理は終了する。もしそうでないと（Ｓ１５４にてＮＯ）、処理はＳ１４４へと移される。
【００５３】
図７〜図９を参照して、受信装置２０で実行されるプログラムは、サブ番号の設定処理に関し、以下のような制御構造を有する。
【００５４】
Ｓ１６０にて、ＣＰＵ３０は、ＥＥＰＲＯＭ３２が記憶した接続判定データＤを参照することにより、受信装置２０がデジタル放送モードか否かを判断する。デジタル放送モードと判断した場合には（Ｓ１６０にてＹＥＳ）、処理はＳ１６２へと移される。もしそうでないと（Ｓ１６０にてＮＯ）、処理は終了する。Ｓ１６２にて、ＣＰＵ３０は、ＴＶ受像機４０に入力済みのチャンネル番号に続けて「−」を表示させる。Ｓ１６４にて、入力部３６は、４秒間キー入力を受付ける。
【００５５】
Ｓ１６６にて、ＣＰＵ３０は、キー入力があったのが「０」キーか否かを判断する。「０」キーと判断した場合には（Ｓ１６６にてＹＥＳ）、処理はＳ１６８へと移される。もしそうでないと（Ｓ１６６にてＮＯ）、処理はＳ１７４へと移される。Ｓ１６８にて、ＣＰＵ３０は、ＴＶ受像機４０に、表示済みの「−」に続けて「０」を表示させる。Ｓ１７０にて、入力部３６は、４秒間キー入力を受付ける。
【００５６】
Ｓ１７２にて、ＣＰＵ３０は、キー入力があったのが「１」〜「９」キーか否かを判断する。「１」キー〜「９」キーと判断した場合には（Ｓ１７２にてＹＥＳ）、処理はＳ１７３へと移される。もしそうでないと（Ｓ１７２にてＮＯ）、処理はＳ１８８へと移される。
【００５７】
Ｓ１７３にて、ＣＰＵ３０は、ＴＶ受像機４０に、キー入力があったチャンネル番号を表示させる。
【００５８】
Ｓ１７４にて、ＣＰＵ３０は、キー入力があったのが「１」キー〜「９」キーか否かを判断する。「１」キー〜「９」キーと判断した場合には（Ｓ１７４にてＹＥＳ）、処理はＳ１７６へと移される。もしそうでないと（Ｓ１７４にてＮＯ）、処理はＳ１８８へと移される。
【００５９】
Ｓ１７６にて、ＣＰＵ３０は、ＴＶ受像機４０に、既に表示済みのチャンネル番号に続き、キー入力があったチャンネル番号を表示させる。Ｓ１７８にて、入力部３６は、４秒間キー入力を受付ける。
【００６０】
Ｓ１８０にて、ＣＰＵ３０は、キー入力があったのが「０」キー〜「９」キーか否かを判断する。「０」キー〜「９」キーと判断した場合には（Ｓ１８０にてＹＥＳ）、処理はＳ１８２へと移される。もしそうでないと（Ｓ１８０にてＮＯ）、処理はＳ１８４へと移される。Ｓ１８２にて、ＣＰＵ３０は、ＴＶ受像機４０に、既に表示されたチャンネル番号に続き、キー入力があったチャンネル番号を表示させる。
【００６１】
Ｓ１８４にて、ＣＰＵ３０は、入力部３６にキー入力がなかったかもしくはキー入力があったのが確定キーか否かを判断する。キー入力がなかったかキー入力があったのが確定キーと判断した場合には（Ｓ１８４にてＹＥＳ）、処理は終了する。もしそうでないと（Ｓ１８４にてＮＯ）、処理はＳ１８６へと移される。Ｓ１８６にて、ＣＰＵ３０は、オートスキャンを強制的に終了するための処理を実施する。
【００６２】
Ｓ１８８にて、ＣＰＵ３０は、キー入力がなかったかもしくはキー入力が確定キーか否かを判断する。キー入力がなかったかもしくはキー入力があったのが確定キーと判断した場合には（Ｓ１８８にてＹＥＳ）、処理は終了する。もしそうでないと（Ｓ１８８にてＮＯ）、処理はＳ１８６へと移される。
【００６３】
以上のような構造およびフローチャートに基づく、受信装置２０の動作について説明する。
【００６４】
［受信装置２０を購入後、未だデジタル放送を受信していない場合］
ＣＰＵ３０は、所定の周波数の放送を受信するようにＮＩＭ２２およびアナログ方式チューナ２６が放送信号を抽出する電波の周波数を設定する（Ｓ１００）。本実施の形態の場合、ＣＰＵ３０は、所定の周波数がアナログ放送に用いられる周波数かデジタル放送に用いられる周波数かを区別しないこととする。ＮＩＭ２２およびアナログ方式チューナ２６が制御されると、ＮＩＭ２２およびアナログ方式チューナ２６は、ＲＦ信号５０から放送信号を抽出する（Ｓ１０２）。放送信号が抽出されると、ＣＰＵ３０は、受信した放送がデジタル放送か否かを判断する（Ｓ１０４）。これにより、ＮＩＭ２２（本実施の形態におけるチューナの１つ）がデジタル放送の放送信号を抽出したか否かが、ＣＰＵ３０によって判断される。
【００６５】
この場合、受信した放送はアナログ放送なので（Ｓ１０４にてＮＯ）、ＣＰＵ３０は、アナログ放送の受信に成功したか否かを判断する（Ｓ１０８）。これにより、ＣＰＵ３０は、ＣＰＵ３０自身が設定する周波数の値が確定した時からＮＩＭ２２がデジタル放送の放送信号を抽出したとＣＰＵ３０自身が判断した時まで、デジタル放送用の形式とは異なる形式のチャンネル番号を受付けるように、入力部３６を制御することとなる。
【００６６】
この場合、アナログ放送の受信に成功したとすると（Ｓ１０８にてＹＥＳ）、入力部３６は、キー入力を受付ける（Ｓ１２０）。キー入力が受付けられると、ＣＰＵ３０は、キー入力があったのが「０」キーか否かを判断する（Ｓ１２２）。この場合、「３」キーのキー入力があったとすると（Ｓ１２２にてＮＯ）、ＣＰＵ３０は、ＴＶ受像機４０に、キー入力があったチャンネル番号「３」を表示させる（Ｓ１４６）。図１０は、チャンネル番号「３」が表示されたときのＴＶ受像機４０の画面を表わす図である。この場合、アナログ放送用のキー入力（デジタル放送のチャンネル番号における「メイン番号」のみを指定するキー入力）を受付けるので、「サブ番号」という概念は存在しない。デジタル放送が実用化される以前の時期のテレビと同様のキー入力を受付ける。
【００６７】
チャンネル番号が表示されると、入力部３６は、４秒間キー入力を受付ける（Ｓ１４８）。キー入力が受付けられると、ＣＰＵ３０は、キー入力があったのが「１」キー〜「９」キーか否かを判断する（Ｓ１５０）。この場合、「５」キーのキー入力があったとすると（Ｓ１５０にてＹＥＳ）、ＣＰＵ３０は、ＴＶ受像機４０に、既に表示済みのチャンネル番号「３」に続きキー入力があったチャンネル番号「５」を表示させる（Ｓ１３０）。図１１は、チャンネル番号「５」が表示されたときのＴＶ受像機４０の画面を表わす図である。
【００６８】
チャンネル番号が表示されると、入力部３６は、４秒間キー入力を受付ける（Ｓ１３２）。キー入力が受付けられると、ＣＰＵ３０は、キー入力があったのが「０」キー〜「９」キーか否かを判断する（Ｓ１３４）。この場合、キー入力があったのが確定キーであったとすると（Ｓ１３４にてＮＯ）、ＣＰＵ３０は、キー入力があったのが「−」キーか否かを判断する（Ｓ１３８）。この場合、キー入力があったのは確定キーなので（Ｓ１３８にてＮＯ）、ＣＰＵ３０は、キー入力がなかったかもしくはキー入力があったのが確定キーか否かを判断する（Ｓ１４２）。この場合、キー入力があったのが確定キーなので（Ｓ１４２にてＹＥＳ）、ＣＰＵ３０は、ＥＥＰＲＯＭ３２が記憶したチャンネル番号をすべて設定したかまたは強制終了するか否かを判断する（Ｓ１１２）。この場合、まだチャンネル番号をすべて設定していないとすると（Ｓ１１２にてＮＯ）、ＣＰＵ３０は、所定の周波数の放送を受信するようにＮＩＭ２２およびアナログ方式チューナ２６が放送信号を抽出する電波の周波数を設定する（Ｓ１００）。その後、チャンネル番号をすべて設定したとすると（Ｓ１１２にてＹＥＳ）、ＣＰＵ３０は、処理を終了する。その後、ＣＰＵ３０は、入力部３６がチャンネル番号を受付けると、そのチャンネル番号に対応する放送の放送信号を抽出するように、チューナであるＮＩＭ２２およびアナログ式チューナ２６が放送信号を抽出する電波の周波数を設定することとなる。
【００６９】
［受信装置２０がデジタル放送を受信した場合］
ＲＦ信号５０から放送信号が抽出されると、ＣＰＵ３０は、受信した放送がデジタル放送か否かを判断する（Ｓ１０４）。この場合、受信した放送はデジタル放送なので（Ｓ１０４にてＹＥＳ）、ＣＰＵ３０は、受信装置２０の放送モードをデジタル放送モードに設定する（Ｓ１０６）。
【００７０】
放送モードがデジタル放送モードに設定されると、Ｓ１２０〜Ｓ１３０の処理を経て、入力部３６は、４秒間キー入力を受付ける（Ｓ１３２）。キー入力が受付けられると、ＣＰＵ３０は、キー入力があったのが「０」キー〜「９」キーか否かを判断する（Ｓ１３４）。この場合、キー入力があったのは「−」キーなので（Ｓ１３４にてＮＯ）、ＣＰＵ３０は、キー入力があったのが「−」キーか否かを判断する（Ｓ１３８）。この場合、キー入力があったのが「−」キーなので（Ｓ１３８にてＹＥＳ）、ＣＰＵ３０は、放送モードがデジタル放送モードか否かを判断する（Ｓ１６０）。この場合、放送モードはデジタル放送モードなので（Ｓ１６０にてＹＥＳ）、ＣＰＵ３０は、ＴＶ受像機４０に、入力済みのチャンネル番号に続けて「−」を表示させる（Ｓ１６２）。図１２は、メイン番号として「３５」の入力があった後「−」が表示されたときのＴＶ受像機４０の画面を表わす図である。
【００７１】
「−」が表示されると、入力部３６は、４秒間キー入力を受付ける（Ｓ１６４）。これにより、サブ番号を入力できる。キー入力が受付けられると、ＣＰＵ３０は、キー入力があったのが「０」キーか否かを判断する（Ｓ１６６）。この場合、「０」キーのキー入力があったとすると（Ｓ１６６にてＹＥＳ）、ＣＰＵ３０は、入力済みの「−」に続けて「０」を表示させる（Ｓ１６８）。「０」が表示されると、入力部３６は、４秒間キー入力を受付ける（Ｓ１７０）。キー入力が受付けられると、ＣＰＵ３０は、キー入力があったのが「１」キー〜「９」キーか否かを判断する（Ｓ１７２）。この場合、キー入力があったのが「１」キーであったとすると（Ｓ１７２にてＹＥＳ）、ＣＰＵ３０は、ＴＶ受像機４０に、既に表示されたチャンネル番号に続けて、キー入力があったチャンネル番号を表示させる（Ｓ１７３）。図１３は、「１」が表示されたときのＴＶ受像機４０の画面を表わす図である。これにより、メイン番号とサブ番号とが表示されることとなる。
【００７２】
以上のようにして、本実施の形態に係る受信装置は、デジタル放送を受信した場合に、デジタル放送用のチャンネル設定を受付ける。これにより、専らアナログ放送を視聴するユーザ（たとえば、ケーブルテレビを通じてすべての放送を視聴するユーザ）は、デジタル放送用のキー入力をしなくてよくなる。デジタル放送を視聴するユーザは、アナログ放送用のキー入力とデジタル放送用のキー入力（たとえば、サブ番号の受付け）とをすることができる。放送を受信するための手立てが多様化すればするほど、このようにチャンネル設定を受付けることで、ユーザにとっての操作性および利便性は大きくなる。とくに本実施の形態にかかる受信装置は、ＣＰＵが実行するプログラムをＥＥＰＲＯＭに記憶させるなどの工程により製造することができるので、量産に適している。その結果、量産に適しており、専らアナログ放送を視聴するユーザにとっての操作性および利便性をより高くできる受信装置を提供することができる。また、専らアナログ放送を視聴するユーザにとっての操作性および利便性をより高くできる受像装置として、本実施の形態に係る受信装置およびＴＶ受像機（ＴＶ受像機４０が受信装置２０を内蔵した場合はそのＴＶ受像機）を提供することができる。
【００７３】
なお、Ｓ１０８にて、ＣＰＵ３０がデジタル放送用の形式とは異なる形式のチャンネル番号を受付けるように入力部３６を制御するのは、複数の周波数の値が確定した時（本実施の形態の場合であれば、複数のチャンネル番号についての周波数が確定した時）からであってもよい。その場合、ＣＰＵ３０自身が設定する複数の周波数の値が確定した時からＮＩＭ２２がデジタル放送の放送信号を抽出したとＣＰＵ３０自身が判断した時まで、入力部３６は、デジタル放送用の形式とは異なる形式のチャンネル番号を受付けるように制御される。
【００７４】
また、受信装置２０は、ＳＴＢでなくともよい。たとえば、受信装置２０は、ＤＶＤ（Digital Versatile Disk）レコーダやハードディスクレコーダであってもよい。
【００７５】
また、Ｓ１００にて、ＣＰＵ３０が周波数を設定する順序を、所定の周波数がアナログ放送に用いられる周波数かデジタル放送に用いられる周波数かに応じて区別させてもよい。たとえば、アナログ放送に用いられる周波数を優先する順序であってもよい。デジタル放送に用いられる周波数を優先する順序であってもよい。ユーザが予め指定した順序であってもよい。ユーザが予め指定した順序でＣＰＵ３０が周波数を設定する場合、ユーザがアナログ放送用の周波数またはデジタル放送用の周波数の一方のみを指定すると、アナログ放送およびデジタル放送のうちユーザが指定した放送に用いられる周波数のみを設定することとしてもよい。アナログ放送およびデジタル放送のうちユーザが指定した放送に用いられる周波数のみを設定する場合、オートスキャン前（すなわちＣＰＵ３０が設定する周波数が確定する前）はアナログ放送用のチャンネル番号およびデジタル放送用のチャンネル番号を受付け、アナログ放送用のチャンネル番号のみが（すなわちデジタル放送とは異なるチャンネル番号が）指定された場合に、オートスキャン後、アナログ放送用のチャンネル番号のみが（すなわちデジタル放送とは異なるチャンネル番号が）入力部３６によって受付けられることとなる。
【００７６】
また、ＣＰＵ３０は、工場から出荷された後、最初にＮＩＭ２２がデジタル放送の放送信号を抽出するまで、デジタル放送用の形式とは異なる形式のチャンネル番号を受付けるように、入力部３６を制御してもよい。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７８】
【図１】本発明の実施の形態に係る受信装置の全体構成図である。
【図２】本発明の実施の形態に係るテーブルの概念図である。
【図３】本発明の実施の形態に係るオートスキャン処理の制御の手順を示すフローチャートである。
【図４】本発明の実施の形態に係るメイン番号の設定処理の制御の手順を示す第１のフローチャートである。
【図５】本発明の実施の形態に係るメイン番号の設定処理の制御の手順を示す第２のフローチャートである。
【図６】本発明の実施の形態に係るメイン番号の設定処理の制御の手順を示す第３のフローチャートである。
【図７】本発明の実施の形態に係るサブ番号の設定処理の制御の手順を示す第１のフローチャートである。
【図８】本発明の実施の形態に係るサブ番号の設定処理の制御の手順を示す第２のフローチャートである。
【図９】本発明の実施の形態に係るサブ番号の設定処理の制御の手順を示す第３のフローチャートである。
【図１０】本発明の実施の形態に係るＴＶ受像機の１０の位が入力されたときの画面を表わす図である。
【図１１】本発明の実施の形態に係るＴＶ受像機の１の位のチャンネル番号が入力されたときの画面を表わす図である。
【図１２】本発明の実施の形態に係るＴＶ受像機の「−」が入力されたときの画面を表わす図である。
【図１３】本発明の実施の形態に係るＴＶ受像機のサブ番号の入力が完了したときの画面を表わす図である。
【符号の説明】
【００７９】
２０  受信装置、２２  ＮＩＭ、２４  ＭＰＥＧデコーダ、２６  アナログ方式チューナ、２８  ＮＴＳＣデコーダ、３０  ＣＰＵ、３２  ＥＥＰＲＯＭ、３４  信号獲得判定回路、３６  入力部、４０  ＴＶ受像機、５０  ＲＦ信号、６０  ビデオ信号、３２２，３２４，３２６，３２８  テーブル。
【図１】
2006253771.tif 000003
【図２】
2006253771.tif 000004
【図３】
2006253771.tif 000005
【図４】
2006253771.tif 000006
【図５】
2006253771.tif 000007
【図６】
2006253771.tif 000008
【図７】
2006253771.tif 000009
【図８】
2006253771.tif 000010
【図９】
2006253771.tif 000011
【図１０】
2006253771.tif 000012
【図１１】
2006253771.tif 000013
【図１２】
2006253771.tif 000014
【図１３】
2006253771.tif 000015